(57)【要約】【目的】二種以上のディジタル放送波を受信できる構成で使い勝手のよい番組ガイドの表示機能を具備するディジタル放送受信装置を提供する。【構成】このディジタル放送受信装置は、例えばディジタルＢＳ放送波及びＣＳ放送波を受信できるように構成される。ＣＰＵ１３はチューナ２を制御し、それぞれの放送波に載せられた番組情報を取得してメモリ１４に記憶する。そして、現在受信中の放送局の番組情報及び前記記憶しておいた他の放送局の番組情報を選択範囲とし、ユーザ操作により、ＣＳ放送局の番組視聴中でもＢＳ放送局の番組情報を選択して表示用番組表データを作成し、ＯＳＤ回路１２を用いて番組ガイドを画面表示する。【選択図】    図１
2004187179.tif 000002
【特許請求の範囲】
【請求項１】
二種以上のディジタル放送波を受信できるように構成されたディジタル放送受信装置において、それぞれの放送波に載せられた番組情報を取得して記憶しておく記憶手段と、現在受信中の放送局の番組情報及び前記記憶しておいた他の放送局の番組情報を選択範囲として表示用番組表データを作成する手段と、ユーザ操作によって前記表示用番組表データとする対象番組情報部分を変化させる手段と、前記表示用番組表データに基づいて番組ガイドを画面表示する手段と、を備えたことを特徴とするディジタル放送受信装置。
【請求項２】
二種以上のディジタル放送波を受信できるように構成されたディジタル放送受信装置において、それぞれの放送波に載せられた番組情報を取得して記憶しておく記憶手段と、前記記憶しておいた複数放送局の番組情報を選択範囲として表示用番組表データを作成する手段と、ユーザ操作によって前記表示用番組表データとする対象番組情報部分を変化させる手段と、前記表示用番組表データに基づいて番組ガイドを画面表示する手段と、を備えたことを特徴とするディジタル放送受信装置。
【請求項３】
請求項１又は請求項２に記載のディジタル放送受信装置において、画面表示された番組ガイド上でユーザにより選択された番組欄の番組情報を記憶手段から読み出し、当該番組の受信処理を行うように構成されたことを特徴とするディジタル放送受信装置。
【請求項４】
請求項１乃至請求項３のいずれかに記載のディジタル放送受信装置において、ユーザによる切替操作によって前記番組ガイドが放送局単位で切り替えられて表示されるように前記表示用番組表データを作成することを特徴とするディジタル放送受信装置。
【請求項５】
請求項１乃至請求項３のいずれかに記載のディジタル放送受信装置において、ユーザによるスクロール操作によって前記番組ガイド上で表示中の放送局の番組表がスクロール表示されると共に、表示中の放送局の番組表のなかで最も端の部分が表示された状態で更にスクロール操作がなされると、別の放送局の番組表の一部が表示されていくように前記表示用番組表データを作成することを特徴とするディジタル放送受信装置。
【請求項６】
請求項１乃至請求項３のいずれかに記載のディジタル放送受信装置において、ユーザによるスクロール操作によって前記番組ガイド上で表示中の放送局の番組表がスクロール表示されると共に、表示中の放送局の番組表のなかで最も端の部分が表示された状態で更にスクロール操作がなされると、別の放送局の番組表に切り替えられて表示されるように前記表示用番組表データを作成することを特徴とするディジタル放送受信装置。
【請求項７】
請求項１乃至請求項６のいずれかに記載のディジタル放送受信装置において、ユーザ操作による番組ガイドの表示遷移を、ユーザにより予め設定された放送局優先順位に対応して行うように構成されていることを特徴とするディジタル放送受信装置。
【請求項８】
請求項１乃至請求項７のいずれかに記載のディジタル放送受信装置において、番組ガイド表の表示で最初に表示される放送局番組表は現在視聴している放送局の番組表とするように前記表示用番組表データを作成することを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時刻、番組継続時間、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）表示機能によって多チャンネル放送のなかからユーザが望む番組を選択することができる。
【０００４】
ＥＰＧ画面は、一般に、縦軸を時間軸とし、横軸にはチャンネル番号を表している。リモコン送信機に設けられた上下左右の方向キーを操作することにより、番組表を上下左右にスクロールさせることができる。そして、例えば所望の番組にカーソルをおき（色変わりさせ）、決定キーを押すことにより、当該番組の予約処理が実行される。このようなＥＰＧ表示に関する従来技術としては、ユーザに日付を入力させ、この日付に対応した番組表を表示するものがある（特許文献１参照）。
【０００５】
【特許文献１】
特開２００２−１０１３５０号公報
【０００６】
【発明が解決しようとする課題】
ところで、ディジタル放送においては、ＢＳ（Ｂｒｏａｄｃａｓｔｉｎｇ  Ｓａｔｅｌｌｉｔｅ）、ＣＳ（Ｃｏｍｍｕｎｉｃａｔｉｏｎｓ  Ｓａｔｅｌｌｉｔｅ）、地上ディジタル放送といった複数のディジタル放送が行われることとなり、これら複数のディジタル放送波を受信できる放送受信装置を提供することが可能である。そして、ユーザが、これら複数の放送波のなかから所望の番組を選局するために、前述のＥＰＧ画面を用いることができる。
【０００７】
しかしながら、例えば、ＢＳディジタル放送を視聴中にＣＳディジタル放送のＥＰＧ画面を表示させることはできず、一旦ＣＳディジタル放送受信状態に切り替えた後、再度ＥＰＧ画面の表示を要求しなければならない。
【０００８】
この発明は、上記の事情に鑑み、二種以上のディジタル放送波を受信できる構成で使い勝手のよい番組ガイドの表示機能を具備するディジタル放送受信装置を提供することを目的とする。
【０００９】
【課題を解決するための手段】
この発明のディジタル放送受信装置は、上記の課題を解決するために、二種以上のディジタル放送波を受信できるように構成されたディジタル放送受信装置において、それぞれの放送波に載せられた番組情報を取得して記憶しておく記憶手段と、現在受信中の放送局の番組情報及び前記記憶しておいた他の放送局の番組情報を選択範囲として表示用番組表データを作成する手段と、ユーザ操作によって前記表示用番組表データとする対象番組情報部分を変化させる手段と、前記表示用番組表データに基づいて番組ガイドを画面表示する手段と、を備えたことを特徴とする。
【００１０】
上記の構成であれば、現在受信中の放送局（例えば、ＣＳ放送局）の番組情報及び記憶しておいた他の放送局（例えば、ディジタルＢＳ放送局）の番組情報を選択範囲として表示用番組表データを作成し、ユーザ操作によって前記表示用番組表データとする対象番組情報部分を変化させるので、例えば、ＣＳ放送局の番組を視聴中に番組ガイドの表示指示がなされた場合でも、ユーザ操作によってディジタルＢＳ放送局の番組情報を表示することができる。
【００１１】
また、この発明のディジタル放送受信装置は、二種以上のディジタル放送波を受信できるように構成されたディジタル放送受信装置において、それぞれの放送波に載せられた番組情報を取得して記憶しておく記憶手段と、前記記憶しておいた複数放送局の番組情報を選択範囲として表示用番組表データを作成する手段と、ユーザ操作によって前記表示用番組表データとする対象番組情報部分を変化させる手段と、前記表示用番組表データに基づいて番組ガイドを画面表示する手段と、を備えたことを特徴とする。
【００１２】
上記の構成であれば、複数放送局（例えば、ＣＳ放送局とディジタルＢＳ放送局）の番組情報を選択範囲として表示用番組表データを作成し、ユーザ操作によって前記表示用番組表データとする対象番組情報部分を変化させるので、例えば、ビデオ等の外部機器の映像を視聴中に番組ガイドの表示指示がなされた場合でも、ユーザ操作によってＣＳ放送局やディジタルＢＳ放送局の番組情報を表示することができる。
【００１３】
画面表示された番組ガイド上でユーザにより選択された番組欄の番組情報を記憶手段から読み出し、当該番組の受信処理を行うように構成してもよい。
【００１４】
ユーザによる切替操作によって前記番組ガイドが放送局単位で切り替えられて表示されるように前記表示用番組表データを作成してもよい。
【００１５】
ユーザによるスクロール操作によって前記番組ガイド上で表示中の放送局の番組表がスクロール表示されると共に、表示中の放送局の番組表のなかで最も端の部分が表示された状態で更にスクロール操作がなされると、別の放送局の番組表の一部が表示されていくように前記表示用番組表データを作成してもよい。
【００１６】
ユーザによるスクロール操作によって前記番組ガイド上で表示中の放送局の番組表がスクロール表示されると共に、表示中の放送局の番組表のなかで最も端の部分が表示された状態で更にスクロール操作がなされると、別の放送局の番組表に切り替えられて表示されるように前記表示用番組表データを作成してもよい。
【００１７】
ユーザ操作による番組ガイドの表示遷移を、ユーザにより予め設定された放送局優先順位に対応して行うように構成されているのがよい。また、番組ガイド表の表示で最初に表示される放送局番組表は現在視聴している放送局の番組表とするように前記表示用番組表データを作成してもよい。
【００１８】
【発明の実施の形態】
以下、この発明の実施形態を図１乃至図４に基づいて説明するが、ここではユーザがＢＳディジタル放送及び１１０°ＣＳディジタル放送を視聴する場合を例示している。図１はこの実施形態のディジタル放送受信装置３０を示したブロック図であり、図２は階層表示時のＥＰＧ画面を例示した説明図であり、図３は並列表示時のＥＰＧ画面を例示した説明図であり、図４はＥＰＧ画面表示処理を示したフローチャートである。
【００１９】
アンテナ１は、屋外において所定の方向に向けて配置されており、ＢＳ及びＣＳから送られてくるディジタル放送信号を受信する。このアンテナ１は一般的に周波数変換器を備え、受信／周波数変換した信号をチューナ２に与える。
【００２０】
チューナ２は、ディジタルＢＳ及びＣＳに対応するものであり、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトンラスポート・ストリームを出力する。
【００２１】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報（番組名、番組開始時間、番組内容等）などをＣＰＵ１３に供給する。ＣＰＵ１３は、受け取った番組情報をメモリ１４に格納する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００２２】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２３】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００２４】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２５】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、ＥＰＧ画面の他、メニュー画面や各種設定画面などの表示が行えることになる。
【００２６】
リモコン送信機１０は、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。なお、リモコン送信機１０には、ＥＰＧ画面を表示するためのキー（ＥＰＧキー）が設けられている。
【００２７】
メモリ（例えば、ＲＡＭ、ＥＥＰＲＯＭ、フラッシュメモリ等）１４には、ディジタルＢＳ及びＣＳのそれぞれの放送波から取得した番組情報、ユーザ設定情報、ＣＰＵ１３を動作させるためのプログラムデータなどが格納される。
【００２８】
ＣＰＵ１３は、このディジタル放送受信装置３０における全体制御を行うものであるが、特にこの発明にかかる処理として、ＥＰＧ表示用データの生成にかかわる処理を行なう。すなわち、ＣＰＵ１３は、ディジタルＢＳ及びＣＳの番組情報を選択範囲としてＥＰＧ表示用データを作成すると共に、ユーザ操作によって前記ＥＰＧ表示用データとする対象番組情報部分を変化させる。以下、具体的に説明していく。
【００２９】
ユーザは、例えばリモコン送信機１０を操作してメニュー項目中の「番組表設定」を選択し、ＥＰＧ表示の表示処理に関する設定を行う。ユーザは、ＥＰＧ表示形態として、「階層表示」又は「並列表示」から一方を選択する。
【００３０】
図２は、「階層表示」を選択した場合に表示されるＥＰＧ画面を例示した説明図である。「階層表示」とは、ユーザによるＥＰＧキーの操作によってＥＰＧ表示を、例えば、ＢＳ→ＣＳ１→ＣＳ２→ＥＰＧ表示ＯＦＦ→ＢＳのごとくサイクリックに切り替えて表示していくものである。なお、図では、複数のＥＰＧ表示が画面奥方向に並んで後ろ側の表示の一部が見えるように示しているが、表示画面上では画面全体を使ってＥＰＧ表示が行なわれるものである。ユーザは、階層ＥＰＧ表示に関する優先度を設定することができる。
【００３１】
ここでは、ユーザによって、ディジタルＢＳ→ＣＳ１→ＣＳ２の順で優先度が設定され、更に、視聴中番組が属する放送局を最初に表示するという設定がなされたものとする。視聴中番組が、例えばＣＳ１に存在している場合にＥＰＧキーが操作されたときには、ＣＳ１のＥＰＧ表示の前記番組の欄を画面中心に位置させて表示することとしている。この場合、ユーザによるＥＰＧキーの繰り返し操作によって、ＣＳ１→ディジタルＢＳ→ＣＳ２→ＥＰＧ表示ＯＦＦのごとく切り替わることになる。なお、順序優先と考えて、ＣＳ１→ＣＳ２→ディジタルＢＳ→ＥＰＧ表示ＯＦＦのごとく切り替わるようにしてもよい。また、アナログ放送も視聴できる放送受信装置とした場合において、アナログ放送視聴中（或いは外部機器（ビデオ，ＤＶＤ映像等）の視聴中）にＥＰＧキーが操作されたときには、視聴番組が属する放送局の番組表はないので、第１優先度のディジタルＢＳのＥＰＧ表示を行なうようにしている。
【００３２】
図３は、「並列表示」を選択した場合に表示されるＥＰＧ表示を例示した説明図である。「並列表示」とは、１つの大きな番組表であるかのごとくＢＳ・ＣＳの番組表を横一列に並べてＢＳ番組欄・ＣＳ番組欄に跨ってユーザの方向キー操作でスクロール表示するものである。ユーザは、並列ＥＰＧ表示に関する並びの優先度を設定することができる。
【００３３】
ここでは、ユーザによって、ディジタルＢＳ→ＣＳ１→ＣＳ２の順で優先度が設定され、更に、視聴中番組が属する放送局を最初に表示するという設定がなされたものとする。そして、視聴中番組が、例えばＣＳ１に存在している場合にＥＰＧキーが操作されたときにはＣＳ１のＥＰＧ表示の前記番組の欄を画面中心に位置させて表示することとしている。この場合、番組表の並びは、ＣＳ１→ディジタルＢＳ→ＣＳ２のごとくなる。なお、順序優先と考えて、ＣＳ１→ＣＳ２→ディジタルＢＳのごとく並べるようにしてもよい。また、アナログ放送も視聴できるタイプとした場合において、アナログ放送視聴中にＥＰＧキーが操作されたときには、視聴番組が属する放送局の番組表はないので、第１優先度のディジタルＢＳのＥＰＧ表示を行なうようにしている。
【００３４】
図４はＥＰＧ表示処理を示したフローチャートである。リモコン送信機１０に設けられたＥＰＧキーが操作されると（ステップＳ１）、ＣＰＵ１３はＥＰＧ表示形態として「階層表示」が設定されているかどうかを判断する（ステップＳ２）。「階層表示」設定であるときには、視聴中の番組に番組情報が含まれているかどうかを判断する（ステップＳ３）。視聴中の番組に番組情報が含まれている場合には、視聴中の放送局の番組表を表示する（ステップＳ４）。一方、視聴中の番組に番組情報が含まれていない場合（アナログ放送やビデオ視聴時等）には、第１優先度のディジタルＢＳの番組表を表示する（ステップＳ５）。
【００３５】
更に、ＣＰＵ１３は、ＥＰＧキーが操作されたかどうかを監視し（ステップＳ６）、操作されたときには全放送局の番組表を表示したかどうかを判断する（ステップＳ７）。全ての放送局の番組表を表示していないときには、次順位の番組表を表示し（ステップＳ８）、ステップＳ６に戻る。ステップＳ７においてＹＥＳであるときには、ＥＰＧ表示をＯＦＦし、通常の受信番組表示状態に戻ることになる（ステップＳ１９）。
【００３６】
一方、ステップＳ２においてＮＯであるとき（「並列表示」設定であるとき）には、視聴中の番組に番組情報が含まれているかどうかを判断する（ステップＳ９）。視聴中の番組に番組情報が含まれている場合には、当該放送局の番組表を表示する（ステップＳ１０）。一方、番組情報が含まれていないときには、第１優先度のディジタルＢＳの番組表を表示する（ステップＳ１１）。
【００３７】
ＥＰＧキーが操作されたときには（ステップＳ１２でＹＥＳ）、ＣＰＵ１３はＥＰＧ表示をＯＦＦし、通常の受信番組表示状態に戻ることになる（ステップＳ１９）。また、ＣＰＵ１３は右スクロール操作（例えば右方向キーの押下）が行われると（ステップＳ１３でＹＥＳ）、現在表示中の放送局番組表における最終チャンネル欄を超したかどうかを判断し（ステップＳ１４）、超過した場合には次優先度の放送局番組表の先頭チャンネル欄を組み入れて表示する（ステップＳ１５）。すなわち、図３において太点線で示すようなかたちで、ＢＳ番組欄・ＣＳ番組欄に跨ってスクロール表示が行なわれる。
【００３８】
また、左スクロール操作（例えば左方向キーの押下）が行われると（ステップＳ１６でＹＥＳ）、ＣＰＵ１３は現在表示中の放送局番組表における先頭チャンネル欄を超したかどうかを判断し（ステップＳ１７）、超過した場合には前優先度の最終チャンネル欄を組み入れて番組表を表示する（ステップＳ１８）。
【００３９】
なお、上記のスクロール表示では、表示中の放送局の番組表のなかで最も端の部分が表示された状態で更にスクロール操作がなされると、別の放送局の番組表の一部が表示されていくようになるが、これに限るものではない。例えば、表示中の放送局の番組表のなかで最も端の部分が表示された状態で更にスクロール操作がなされた場合に、別の放送局の番組表に切り替えられて表示される（別の放送局番組表の一部を表示する状態をなくす）ようにしてもよい。
【００４０】
番組表が表示されている状態でユーザがリモコン送信機１０を操作して番組欄を選択し、例えば決定キーを押下すると、ＣＰＵ１３は当該番組を受信するための必要な情報をメモリから読み出し、チューナ２を制御して当該番組の放送波を受信させて画面表示することになる。これにより、例えば、ユーザがＣＳ１の番組を視聴中に受信装置３０にＥＰＧ表示を行なわせ、ＢＳの番組表上で番組欄を指定すれば、ＣＳ１番組の視聴の状態からＢＳ番組の受信視聴に移行できることになる。また、例えばＣＳ１番組の視聴の状態でＢＳ番組の録画予約や視聴予約を行なうことも可能となる。なお、例えばＣＳ１番組の視聴中におけるＥＰＧ表示では、ＣＳ１については最新の番組情報に基づくＥＰＧ表示が行なえるが、ＣＳ２やＢＳについては以前に取得しておいた番組情報に基づいて番組表の表示を行なうことになる。従って、ＣＳ１番組の視聴中のＣＳ２番組やＢＳ番組の録画予約や視聴予約においては、「最新の番組情報を取得して確認しますか  ＹＥＳＮＯ」といった表示を行い、ＹＥＳのボタンが操作されたときには、ＢＳの番組情報取得処理に移行するようにしてもよい。
【００４１】
また、上述の説明においては、ＢＳディジタル放送及びＣＳディジタル放送を受信可能な受信装置を例にとって説明したが、これに限るものではなく、地上ディジタル放送を受信する受信装置においても適用できるものである。地上ディジタル放送を受信するチューナはＢＳ・ＣＳディジタルチューナから独立して動作できるため、例えばＣＳ視聴中でも番組情報の取得処理を裏で行なうことができ、最新の番組情報に基づくＥＰＧ表示を行い得る。また、ディジタル放送受信装置はチューナボードを装着できるパーソナルコンピュータを用いて構成することができる。
【００４２】
【発明の効果】
以上説明したように、この発明によれば、二種以上のディジタル放送波を受信できる構成で使い勝手のよい番組ガイドの表示機能を提供できるという効果を奏する。
【図面の簡単な説明】
【図１】この実施形態のディジタル放送受信装置を示したブロック図である。
【図２】階層表示時のＥＰＧ画面を例示した説明図である。
【図３】並列表示時のＥＰＧ画面を例示した説明図である。
【図４】ＥＰＧ画面表示処理を示したフローチャートである。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004187179.tif 000003
【図２】
2004187179.tif 000004
【図３】
2004187179.tif 000005
【図４】
2004187179.tif 000006